(57)【要約】　　　（修正有）【課題】絵描き部の移動方法に工夫を凝らして部品点数や構成を簡単にすることにより製作コストを下げ、さらに絵描き部の移動以外に、音声や光といった聴覚、及び視覚に訴えることにより刺激を与え、子供達により一層興趣を湧かしめて飽きのこないように工夫を凝らしたとくに３〜５才児の低年令児の子供向きの絵描きおもちゃを提供する。【解決手段】ケース本体１と、このケース本体内において水平方向へ回転可能に軸支されその一部を前記ケース本体の上部に設けた窓部２２より露出させた絵描き円盤５と、この絵描き円盤を回転させる駆動手段と、前記ケース本体に着脱自在に取り付けられた筆記具と、前記ケース本体に同じく着脱可能に取り付けられた字消し具１０と、前記ケース本体に設けられた音声発生手段、及び点灯手段とで構成する。【選択図】　　　　　図３
0003100193.tif 000002
【実用新案登録請求の範囲】
【請求項１】
　ケース本体と、このケース本体内において水平方向へ回転可能に軸支されその一部を前記ケース本体の上部に設けた窓部より露出させた絵描き円盤と、この絵描き円盤を回転させる駆動手段と、前記ケース本体に着脱自在に取り付けられた筆記具と、前記ケース本体に同じく着脱可能に取り付けられた字消し具と、前記ケース本体に設けられた音声発生手段、及び点灯手段とで構成したことを特徴とする、絵描きおもちゃ。
【請求項２】
　前記絵描き円盤を回転させる駆動手段が、手動式であることを特徴とする、請求項１に記載の絵描きおもちゃ。
【請求項３】
　前記絵描き円盤を回転させる駆動手段が、電動式であることを特徴とする、請求項１に記載の絵描きおもちゃ。
【請求項４】
　前記音声発生手段は、複数のスイッチを有し、各スイッチに対応した複数の音声を発生させるものであることを特徴とする、請求項１乃至３のいずれかに記載の絵描きおもちゃ。
【請求項５】
　前記音声発生手段のスピーカーの上部には、透明な材料で構成したドームが取り付けられ、このドーム内部に前記スピーカーの振動板の振動によって飛び跳ねる多数の小球を収納したことを特徴とする、請求項１乃至４のいずれかに記載の絵描きおもちゃ。
【請求項６】
　前記点灯手段は、単数又は複数のＬＥＤランプによって構成されていることを特徴とする、請求項１乃至５のいずれかに記載の絵描きおもちゃ。
【請求項７】
　前記点灯手段は、前記音声発生手段による音声発生と同期して点灯及び又は点滅を行うように構成されていることを特徴とする、請求項１乃至６のいずれかに記載の絵描きおもちゃ。
【考案の詳細な説明】
【技術分野】
【０００１】
　この考案は、とくに低年令の子供達が楽しむことのできるようにした絵描き部が移動する絵描きおもちゃに関する。
【背景技術】
【０００２】
　従来、ホワイドボードのように、固定している絵描き部に絵や文字、及び図形や記号等を描き、字消し具を用いて消したり、修正したりして、繰り返し絵や文字、及び図形や記号等を描くことのできるものが良く知られているが、これだけでは子供達のおもちゃとして興趣に欠けているため、ホワイドボードに相当する絵を描く部分を移動可能としたものが下記する公知文献により公知である。
【公知文献１】
【０００３】
実開平６−４８７９７号公開実用新案公報
　この公知文献１に記載されたものは、エンドレスベルト状に構成した絵描き部に相当する絵描きシートに繰り返し絵を描くことができるようにしたもので、絵描きシートを懸架したローラを回すことによって、該絵描きシートを移動させ、次々と絵や文字及び記号を描くことができ、さらに絵描きシート上に描いた動物や車の絵等の描写物を絵描きシートを移動させることによって一方向へ移動させることができるようにしたものである。
【考案の開示】
【考案が解決しようとする課題】
【０００４】
　上述した従来公知の絵描きおもちゃは、絵描きシートを移動させる構成として少なくとも一対のローラを必要とする上に、絵描きシートを支える支承体を必要とするなどして、部品点数が多く、構造が複雑となって、製作コストが高くなり、操作が複雑である上に、絵描きシートを移動可能とした以外に低年令の子供達が興味を持つ構成を備えていないことから、低年令の子供向きではないという問題があった。
【０００５】
　この考案の目的は、絵描き部の移動方法に工夫を凝らして部品点数や構成を簡単にすることにより製作コストを下げ、さらに絵描き部の移動以外に、音声や光といった聴覚、及び視覚に訴えることにより刺激を与え、子供達により一層興趣を湧かしめて飽きのこないように工夫を凝らしたとくに３〜５才児の低年令児の子供向きの絵描きおもちゃを提供せんとするにある。
【課題を解決するための手段】
【０００６】
　上述した目的を達成するためにこの考案は、ケース本体と、このケース本体内において水平方向へ回転可能に軸支されその一部を前記ケース本体の上部に設けた窓部より露出させた絵描き円盤と、この絵描き円盤を回転させる駆動手段と、前記ケース本体に着脱自在に取り付けられた筆記具と、前記ケース本体に同じく着脱可能に取り付けられた字消し具と、前記ケース本体に設けられた音声発生手段、及び点灯手段とで構成したことを特徴とする。
【０００７】
　その際にこの考案は、前記絵描き円盤を回転させる駆動手段を、手動式としたり、電動式としたりすることができる。
【０００８】
　この考案はまた、前記音声発生手段を、複数のスイッチを有し、各スイッチに対応した複数の音声を発生させるものとしたり、前記音声発生手段のスピーカーの上部に、透明な材料で構成したドームを設け、このドーム内部に前記スピーカーの振動板の振動によって飛び跳ねる多数の小球を収納したりすることができる。
【０００９】
　この考案はさらに、前記点灯手段を、単数又は複数のＬＥＤランプによって構成したり、前記音声発生手段による音声発生と同期して点灯及び又は点滅を行うように構成することができる。
【考案の効果】
【００１０】
　この考案は以上のように構成したので、ケース本体の窓部より露出している絵描き円盤の表面に、筆記具を用いて絵、文字、及び図形や記号等を描き、これらの絵、文字、図形及び記号等を字消し具を用いて消したり、修正したりして、絵描き円盤を回して次々と描いて行くことができ、描いた絵、文字、図形、及び記号等を操作ハンドルを操作して絵描き円盤を回すことにより移動させて楽しむことができる上に、複数の押釦を押すことにより、メロディー、人声、動物の声等のさまざまな音声が音声発生手段のスピーカーより発生されたり、さらに点灯手段のＬＥＤランプが点灯及び又は点滅することにより、聴覚と視覚の面からも刺激を与えることができるので、より興趣が湧いて楽しむことができるものである。
【００１１】
　ラチェット機構は、絵描き円盤の回転を制御し、その表面に絵や文字、及び図形や記号等を描いている時に不必要に動いて描きにくくなることを防止する効果を奏する。
【００１２】
　さらに、音声発生手段のスピーカーが動作する際にはスピーカーの振動板上に載置したさまざまな色の小球が飛び跳ねることにより、この面からも遊技者の目を楽しませることができる。
【００１３】
　このように本願に係る絵描きおもちゃは、構成が簡単であるので、この面から製作コストを下げることができた上で、絵や文字、及び図形や記号等を描きながら、聴覚や視覚等も同時に刺激するので、とくに低年令児用の飽きの来ない絵描きおもちゃを提供することができたものである。
【考案を実施するための最良の形態】
【００１４】
　以下にこの考案の一実施の形態を図面に基づいて詳細に説明する。
【実施例１】
【００１５】
　図面によれば、指示記号１で示したものは、ケース本体であり、このケース本体１は上部ケース２と下部ケース３とを重ね合わせ、取付ビス４，４・・・で固着したもので、内部の上部ケース２と下部ケース３の間に絵描き円盤５が支軸５ａによって水平方向へ回転可能に枢支されている。上部ケース２には、中央部に半円形状にくり抜いて窓部２ａが形成され、この窓部２ａより絵描き円盤５の上面の約半分が露出し、この部分に絵や字及び記号等を描くことができるようになっている。尚、指示記号１ａは持ち運びように用いる取手である。
【００１６】
　上部ケース１にはさらに、その上側上面に筆記具収納部６ａ，６ｂが並置され、内部に例えば水性ペンのような筆記具７ａ，７ｂが各一対の係止片８ａ，８ｂ・９ａ，９ｂによって着脱可能に係止されつつ収納されている。
【００１７】
　この上部ケース１の下側上面には、左端に字消具１０の収納部１１が設けられ、次いで形状の異なる押釦１２，１３，１４，１５がドーム状の覗き窓１６を挟んで左右に２個ずつ設置されている。字消具１０は、とくに図７に示したように、収納部１１内に設けた係止片１１ａ，１１ｂによって着脱可能に係止される構成である。
【００１８】
　この押釦１２，１３，１４，１５は、例えば左側の２個の押釦１２，１３はメロディーを発生させるようになっており、右側の２個の押釦１４，１５は人声のような音声を発生させるようになっているが、その数及び発生させる音の種類には限定はない。この各押釦１２，１３，１４，１５は、とくに図５に示したように、同時に上部ケース２の裏側に取り付けられた音声発生回路基板１７と点灯回路基板１８のそれぞれスイッチとなっており、音声発生回路基板１７とでスピーカー１９とで音声発生手段２０を構成し、点灯回路基板１８と覗き窓１６の下部側に配置した複数のＬＥＤ２３，２３・・・とで点灯手段２１を構成している。
【００１９】
　ドーム状の覗き窓２２は、とくに図１乃至図３と図５に示したように、スピーカー１９の振動板１９ａの上面に設置されており、内部に振動板１９ａ上に載置させて多数の小球２２，２２・・・を収容させてある。
【００２０】
　絵描き円盤５は、表面を滑らかにした合成樹脂製のもので、下部ケース３上に支軸３ａによって回転自在に枢支されている。この絵描き円盤５には、外周に大径の従動ギア部２５が設けられ、この従動ギア部２５は、小径の中間ギア２６を介して、中径の駆動ギア２７をその下部外周に設けた回転ハンドル２８を介して駆動力を得る構成であって、このような手動式の駆動手段３６によって、絵描き円盤２４が回転させられる構成である。駆動力伝達手段としては、ギア式のものを示してあるが、ベルト式、フリクション式等その他の公知の駆動力伝達手段を用いることができる。
【００２１】
　絵描き円盤５には、また、従動ギア２５と同芯状に小径のラチェットギア２９が設けられ、このラチェットギア２９は、下部ケース３に揺動可能に軸支したラチェット３０の先端の爪部３０ａに噛合し、このラチェット３０は例えば引張スプリングから成る弾性手段３１により一方向へ揺動附勢されている。このように、ラチェットギア２９とラチェット３０と弾性手段３１でラチェット機構３２を構成している。
【００２２】
　さらに、下部ケース３には電池収納部３３が設けられ、この電池収納部３３には、電源として乾電池３４，３４が収納されている。この電源としての乾電池３４，３４はリード線３５を介して、音声発生手段２０と点灯手段２１に接続されている。
【００２３】
　したがって、操作ハンドル２８の摘み２８ａを持って、これを時計方向へ回転させると、この回転駆動力は駆動ギア２７、中間ギア２６、及び従動ギア２５を介して絵描き円盤５へ伝達され、該絵描き円盤５を時計方向へ回転させることができる。
【００２４】
　操作ハンドル２８を上記とは逆方向へ回転させると、ラチェット機構３２により絵描き円盤２４の回転に阻止されるので、該絵描き円盤５を回転させることはできない。
【００２５】
　遊技者は、筆記具７ａ，７ｂを筆記具収納部６ａ，６ｂより外し、手に持って覗き窓１６より露出している絵描き円盤５上へ絵や文字、及び図形や記号等を自由に描くことができ、必要に応じて字消具１０を用いて描いた絵や文字、図形等を消して描き直し、或は修正することができる。描き終わった筆記具７ａ，７ｂは、これらと筆記具収納部６ａ，６ｂ内へ当てがって押し込むことにより、係止片８ａ，８ｂ・９ａ，９ｂによって着脱可能に係止される。
【００２６】
　絵描き円盤５上へ描いた動物や自動車の絵、その他の文字や記号及び図形は、これを字消し具１０を用いて消さないで、絵描き円盤５を上述したようにして回転停止させ、次々と絵等を描いたり、或は描いた絵や文字、図形等を回転させて楽しむこともできる。
【００２７】
　遊技者はさらに、絵や文字、及び図形や記号等を描きながら、各押釦１２〜１５を押すと、各押釦１２〜１５に合わせた音声が音声発生手段２０より発生させたり、点灯手段２１のＬＥＤ２３を点灯、点滅させてこれを楽しみ、描き終わった絵や文字、及び図形や記号等を回転させながら音声発生手段２０や点灯手段２１を動作させて、合わせて楽しむことができるものである。点灯手段の各ＬＥＤ２３の発光色を変えたり、点灯、点滅させることは任意であり、このことにより一層興趣を増大させることができよう。
【００２８】
　また、スピーカー１９が動作し、振動板１９ａが振動すると、多数の小球２２がこの振動板１９ａの振動により飛び跳ねることから、この多数の飛び跳ねる小球２２の動きを見て楽しむこともできるものである。
【００２９】
　以上の説明は、絵描き円盤の駆動手段として手動式のものを示したが、駆動モータを用いた電動式のものに変えても良いことは勿論である。
【図面の簡単な説明】
【００３０】
【図１】この考案に係る絵描きおもちゃの斜視図である。
【図２】この考案に係る絵描きおもちゅの平面図である。
【図３】この考案に係る絵描きおもちゃの一部分解斜視図である。
【図４】この考案に係る絵描きおもちゃの下部ケースの部分の平面図である。
【図５】この考案に係る絵描きおもちゃの上部ケースの部分の裏面図である。
【図６】この考案に係る絵描きおもちゃの縦断面図である。
【図７】この考案に係る絵描きおもちゃの字消し具の収納部に対する収納状態を示す断面図である。
【符号の説明】
【００３１】
　１　ケース本体
　２　上部ケース
　２ａ　窓部
　３　下部ケース
　４　取付ビス
　５　絵描き円盤
　５ａ　支軸
　６ａ　筆記具収納部
　６ｂ　筆記具収納部
　７ａ　筆記具
　７ｂ　筆記具
　８ａ　係止片
　８ｂ　係止片
　９ａ　係止片
　９ｂ　係止片
　１０　字消具
　１１　収納部
　１１ａ　係止片
　１１ｂ　係止片
　１２　押釦
　１３　押釦
　１４　押釦
　１５　押釦
　１６　覗き窓
　１７　音声発生回路基板
　１８　点灯回路基板
　１９　スピーカー
　１９ａ　振動板
　２０　音声発生手段
　２１　点灯手段
　２２　小球
　２３　ＬＥＤ
　２５　従動ギア
　２６　中間ギア
　２７　駆動ギア
　２８　操作ハンドル
　２８ａ　摘み
　２９　ラチェットギア
　３０　ラチェット
　３０ａ　爪部
　３１　弾性手段
　３２　ラチェット機構
　３３　電池収納部
　３４　乾電池
　３５　リード線
【図１】
0003100193.tif 000003
【図２】
0003100193.tif 000004
【図３】
0003100193.tif 000005
【図４】
0003100193.tif 000006
【図５】
0003100193.tif 000007
【図６】
0003100193.tif 000008
【図７】
0003100193.tif 000009